【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
複数のストレージが接続されたストレージシステムであって、
メインコントローラと通信する第１ブリッジと、
前記第１ブリッジと通信可能な第２ブリッジと、
前記第１ブリッジと通信可能な第１記憶装置と、
前記第２ブリッジと通信可能な第２記憶装置および第３記憶装置と、を備え、
前記第１ブリッジは、コントローラを有し、
前記コントローラは、
前記メインコントローラから受け付けたコマンドが前記第１記憶装置に対応しないコマンドであり、且つ、前記メインコントローラのアクセス先が前記第２ブリッジであることに基づいて、前記受け付けたコマンドに対応するコマンドを前記第２ブリッジに送信し、
前記メインコントローラから受け付けたコマンドが前記第１記憶装置に対応するコマンドであることに基づいて、前記受け付けたコマンドに対応するコマンドを前記第２ブリッジまたは前記第１記憶装置に送信することを特徴とするストレージシステム。
【請求項２】
前記受け付けたコマンドが前記第１記憶装置に対応しないコマンドであり、且つ、前記メインコントローラのアクセス先が前記第１記憶装置である場合、前記コントローラは、前記受け付けたコマンドをマスクすることを特徴とする請求項１に記載のストレージシステム。
【請求項３】
前記メインコントローラから受け付けたコマンドが前記第１記憶装置に対応しないコマンドであり、且つ、前記メインコントローラのアクセス先が前記第１ブリッジである場合、前記コントローラは、前記受け付けたコマンドに基づく処理を実行することを特徴とする請求項１または２に記載のストレージシステム。
【請求項４】
前記コントローラは、
前記メインコントローラからの入力データに基づいて暗号データを生成し、
前記第２ブリッジまたは前記第１記憶装置からの暗号データに基づき復号データを生成することを特徴とする請求項１乃至３のいずれか１項に記載のストレージシステム。
【請求項５】
前記第１記憶装置に対応しないコマンドが暗号化または復号化に関するコマンドである場合、前記コントローラが前記受け付けたコマンドに基づく処理を実行することを特徴とする請求項４に記載のストレージシステム。
【請求項６】
前記第１記憶装置に対応しないコマンドが前記第２ブリッジに対する設定または問い合わせに関するコマンドである場合に、前記暗号化を行わずに、前記受け付けたコマンドに対応するコマンドを前記第２ブリッジに送信することを特徴とする請求項４に記載のストレージシステム。
【請求項７】
前記コントローラは、前記暗号化を行わずに前記受け付けたコマンドに対応するコマンドを前記第２ブリッジに送信した場合、前記対応するコマンドに対する応答を復号化しないで前記メインコントローラに送信することを特徴とする請求項６に記載のストレージシステム。
【請求項８】
前記受け付けたコマンドが前記第２記憶装置又は前記第３の記憶装置に対する読出し／書き込みに関するコマンドであり、且つ、前記暗号化が認証されている場合に、前記コントローラは、前記第２ブリッジに前記読出し／書き込みに関するコマンドを送信することを特徴とする請求項４に記載のストレージシステム。
【請求項９】
前記第１記憶装置に対応するコマンドが前記第１記憶装置にアクセスする標準コマンドである場合に、前記コントローラは前記受け付けたコマンドに対応するコマンドを前記第１記憶装置に送信することを特徴とする請求項１乃至８のいずれか１項に記載のストレージシステム。
【請求項１０】
前記第２ブリッジは、前記第２記憶装置及び前記第３記憶装置に対するミラーリングを行うミラーコントローラを有することを特徴とする請求項１乃至９のいずれか１項に記載のストレージシステム。
【請求項１１】
前記第１記憶装置に対応しないコマンドが前記ミラーリングに関するコマンドである場合に、前記コントローラは、前記受け付けたコマンドに対応するコマンドを前記第２ブリッジに送信することを特徴とする請求項１０に記載のストレージシステム。
【請求項１２】
前記メインコントローラ、前記第１ブリッジ、及び前記第２ブリッジは、直列接続されることを特徴とする請求項１乃至１１のいずれか１項に記載のストレージシステム。
【請求項１３】
前記第１記憶装置はＳＳＤであり、前記第２記憶装置および前記第３記憶装置はＨＤＤであることを特徴とする請求項１乃至１２のいずれか１項に記載のストレージシステム。
【請求項１４】
前記第１ブリッジは、複数の接続ポートを備え、
前記コントローラは、各接続ポートの状態を、デバイスの探索前、前記第２ブリッジの接続有り、前記第１記憶装置の接続有り、及びデバイスの接続無し、の４つの段階で管理することを特徴とする請求項１乃至１３のいずれか１項に記載のストレージシステム。
【請求項１５】
前記複数の接続ポートのうち所定の接続ポートの状態が前記デバイスの探索前である場合に、前記コントローラは、前記所定の接続ポートの状態が前記第２ブリッジの接続有り、前記第１記憶装置の接続有り、及び前記デバイスの接続無し、のいずれにあるかを判断することを特徴とする請求項１４に記載のストレージシステム。
【請求項１６】
前記複数の接続ポートの状態が前記第１の記憶装置の接続有り及び前記デバイスの接続無しの何れかであり、且つ、前記入力コマンドが前記第２ブリッジにアクセスするコマンドである場合に、前記コントローラは、前記受け付けたコマンドをマスクすることを特徴とする請求項１５に記載のストレージシステム。
【請求項１７】
メインコントローラと通信する第１ブリッジと、
前記第１ブリッジと通信可能な第２ブリッジと、
前記第１ブリッジと通信可能な第１記憶装置と、
前記第２ブリッジと通信可能な第２記憶装置および第３記憶装置と、を備え、
前記第１ブリッジは、コントローラを有する、複数のストレージが接続されたストレージシステムの制御方法であって、
前記メインコントローラから受け付けたコマンドが前記第１記憶装置に対応しないコマンドであり、且つ、前記メインコントローラのアクセス先が前記第２ブリッジであることに基づいて、前記受け付けたコマンドに対応するコマンドを、前記コントローラから前記第２ブリッジに送信する工程と、
前記メインコントローラから受け付けたコマンドが前記第１記憶装置に対応するコマンドであることに基づいて、前記受け付けたコマンドに対応するコマンドを、前記コントローラから前記第２ブリッジまたは前記第１記憶装置に送信する工程と、を有することを特徴とするストレージシステムの制御方法。
【手続補正２】
【補正対象書類名】明細書
【補正対象項目名】０００７
【補正方法】変更
【補正の内容】
【０００７】
本発明の一実施形態のストレージシステムは、複数のストレージが接続されたストレージシステムであって、メインコントローラと通信する第１ブリッジと、前記第１ブリッジと通信可能な第２ブリッジと、前記第１ブリッジと通信可能な第１記憶装置と、前記第２ブリッジと通信可能な第２記憶装置および第３記憶装置と、を備え、前記第１ブリッジは、コントローラを有し、前記コントローラは、前記メインコントローラから受け付けたコマンドが前記第１記憶装置に対応しないコマンドであり、且つ、前記メインコントローラのアクセス先が前記第２ブリッジであることに基づいて、前記受け付けたコマンドに対応するコマンドを前記第２ブリッジに送信し、前記メインコントローラから受け付けたコマンドが前記第１記憶装置に対応するコマンドであることに基づいて、前記受け付けたコマンドに対応するコマンドを前記第２ブリッジまたは前記第１記憶装置に送信する。